(57)【要約】【課題】パラメータを入力するためのスイッチを簡素化しつつも、簡単な操作で複数かつ広範囲のパラメータ種類の設定ができ、カーソルの桁の選択が可能であるとともに省スペースを実現し、さらにコストも抑えることができるパラメータ設定装置を提供する。【解決手段】カーソルがパラメータ設定値の最大桁位置もしくは最小桁位置にある状態で、カーソル桁移動スイッチ３が押されるとカーソルを最小桁位置もしくは最大桁位置に移動させると同時に、予め設定されている順番通りにパラメータ種類を更新してパラメータ表示装置１に表示する桁移動・表示更新手段５を備える。【選択図】図１
2006314041.tif 000002
【特許請求の範囲】
【請求項１】
複数のパラメータ種類を有し、前記複数のパラメータ種類の少なくとも一つと前記パラメータ種類に対応するパラメータ設定値の両方を同時に表示するパラメータ表示装置（１）と、前記パラメータ設定値を上下する数値モディファイスイッチ（２）と、前記パラメータ表示装置の変更可能な桁の位置を表示するカーソルと、前記カーソルを一定方向に移動するカーソル桁移動スイッチ（３）と、を備えたパラメータ設定装置において、
前記カーソルが前記パラメータ設定値の最大桁位置もしくは最小桁位置にある状態で前記カーソル桁移動スイッチ（３）が押されると前記カーソルを最小桁位置もしくは最大桁位置に移動させると同時に、予め設定されている順番通りにパラメータ種類を更新して前記パラメータ表示装置（１）に表示する桁移動・表示更新手段（５）を備えたことを特徴とするパラメータ設定装置。
【請求項２】
複数のパラメータ種類を有し、前記複数のパラメータ種類の少なくとも一つと前記パラメータ種類に対応するパラメータ設定値の両方を同時に表示するパラメータ表示装置（１）と、前記パラメータ設定値を上下する数値モディファイスイッチ（２）と、前記パラメータ表示装置の変更可能な桁の位置を表示するカーソルと、前記カーソルを一定方向に移動するカーソル桁移動スイッチ（３）と、を備えたパラメータ設定装置において、
前記カーソルが前記パラメータ設定値の最大桁位置または最小桁位置にある状態で、前記カーソル桁移動スイッチ（３）が押されると前記カーソルをパラメータ種類表示桁に移動させ、
前記カーソルが前記パラメータ種類表示桁にある状態で前記数値モディファイスイッチ（２）または前記カーソル桁移動スイッチ（３）が押されると、予め設定された順番通りにパラメータ種類を更新して前記パラメータ表示装置（１）に表示する桁移動・表示更新手段（６）と、を備えたことを特徴とするパラメータ設定装置。
【発明の詳細な説明】
【技術分野】
【０００１】
本発明は、複数の予め規定されている設定項目、すなわちパラメータ種類を逐次選択し、選択されたパラメータ種類毎にパラメータ設定値を設定するパラメータ設定装置に関する。
【背景技術】
【０００２】
従来技術のパラメータ設定装置は、パラメータ種類を選択するためのスイッチを設けているが、パラメータ設定値の設定する桁を変更するためのスイッチを設けていないものがある(例えば、特許文献１参照)。
図７は、従来技術例１を示すパラメータ設定装置の説明図である。
図７において、１１はつまみ、１２はスイッチ、１３は表示器である。
以下、図７を用いて従来技術例１のパラメータ設定装置について説明する。
スイッチ１２は、表示されたパラメータ設定値を確定すると同時に表示器１３の表示によって設定画面を変更する。表示器１３がパラメータ種類選択画面を表示している場合には、スイッチ１２を押下することでパラメータ種類を選択し、同時に表示パネルの表示値を設定するための画面に変更する。また、表示器１３が値を設定するための画面を表示している場合には、つまみ１１を回転することで設定値を変更し、スイッチ１２を押すことで表示器１３の値を設定し、パラメータ種類選択画面に戻る。
【０００３】
また、別の従来技術のパラメータ設定装置は、パラメータ設定値の設定する桁を変更するためのスイッチは設けているが、パラメータ種類を選択するためのスイッチを設けていないものもある（例えば、特許文献２参照）。
図８は、従来技術例２を示すパラメータ設定装置の説明図である。
図８において、２１はカーソル変更用入力手段，２２は数値モディファイ用入力手段、２３は数値表示手段である。
図８に示す従来技術例２のパラメータ設定装置は、カーソル変更用入力手段２１を押下すると、数値表示手段２３のカーソルの桁位置が移動し、数値モディファイ用入力手段２２によりパラメータを設定する。
【０００４】
このように、従来技術のパラメータ設定装置は、別途設けられたパラメータ種類を選択するためのスイッチを押下してパラメータ種類を変更する、もしくは桁移動スイッチを押下するとカーソルが移動するものである。
【特許文献１】特開平９−２４７９４８号公報（第３−５頁、第２図）
【特許文献２】特開平７−１３４６２９号公報（第２−４頁、第１図）
【発明の開示】
【発明が解決しようとする課題】
【０００５】
しかしながら、特許文献１に示されている従来技術例１のパラメータ設定装置では、パラメータ設定値の設定桁を移動することができないため桁数の多い場合は、つまみの回転量が多くなり、時間がかかるという問題があった。
また、特許文献２に示されている従来技術例２のパラメータ設定装置では、設定値を変更するパラメータが数種類ある場合には対応できないという問題があった。
また、これらの問題を解決するためカーソル移動ボタンとパラメータ種類選択ボタンを両方設けた場合は、ボタンの数を増やすことになるので必要なスペースが多くなり、さらにコストも上がるというような問題もあった。
【０００６】
本発明はこのような問題点に鑑みてなされたものであり、パラメータを入力するためのスイッチを簡素化しつつも、簡単な操作で複数かつ広範囲のパラメータ種類の設定ができ、カーソルの桁の選択が可能であるとともに省スペースを実現し、さらにコストも抑えることができるパラメータ設定装置を提供することを目的とする。
【課題を解決するための手段】
【０００７】
上記問題を解決するため、請求項１に記載の発明は、複数のパラメータ種類を有し、前記複数のパラメータ種類の少なくとも一つと前記パラメータ種類に対応するパラメータ設定値の両方を同時に表示するパラメータ表示装置と、前記パラメータ設定値を上下する数値モディファイスイッチと、前記パラメータ表示装置の変更可能な桁の位置を表示するカーソルと、前記カーソルを一定方向に移動するカーソル桁移動スイッチと、を備えたパラメータ設定装置において、前記カーソルが前記パラメータ設定値の最大桁位置もしくは最小桁位置にある状態で前記カーソル桁移動スイッチが押されると前記カーソルを最小桁位置もしくは最大桁位置に移動させると同時に、予め設定されている順番通りにパラメータ種類を更新して前記パラメータ表示装置に表示する桁移動・表示更新手段を備えたことを特徴としている。
【０００８】
また、請求項２に記載の発明は、複数のパラメータ種類を有し、前記複数のパラメータ種類の少なくとも一つと前記パラメータ種類に対応するパラメータ設定値の両方を同時に表示するパラメータ表示装置と、前記パラメータ設定値を上下する数値モディファイスイッチと、前記パラメータ表示装置の変更可能な桁の位置を表示するカーソルと、前記カーソルを一定方向に移動するカーソル桁移動スイッチと、を備えたパラメータ設定装置において、前記カーソルが前記パラメータ設定値の最大桁位置または最小桁位置にある状態で、前記カーソル桁移動スイッチが押されると前記カーソルをパラメータ種類表示桁に移動させ、前記カーソルが前記パラメータ種類表示桁にある状態で前記数値モディファイスイッチまたは前記カーソル桁移動スイッチが押されると、予め設定された順番通りにパラメータ種類を更新して前記パラメータ表示装置に表示する桁移動・表示更新手段と、を備えたことを特徴としている。
【発明の効果】
【０００９】
請求項１および２に記載の発明によると、パラメータを入力するためのスイッチを簡素化しつつも、簡単な操作で複数かつ広範囲のパラメータ種類の設定ができ、カーソルの桁の選択が可能であるとともに省スペースを実現し、さらにコストも抑えることができる。
【発明を実施するための最良の形態】
【００１０】
以下、本発明の実施の形態について図を参照して説明する。
【実施例１】
【００１１】
図１は、第１実施例および第２実施例を示すパラメータ設定装置の構成図である。
図１において、１はパラメータ表示装置、２は数値モディファイスイッチ、３はカーソル桁移動スイッチ、４はパラメータ記憶装置、５は本実施例の桁移動・表示更新手段である。
図１に示す本実施例のパラメータ設定装置の特徴とする点は以下のとおりである。
すなわち、本実施例のパラメータ設定装置は、複数のパラメータ種類を有し、前記複数のパラメータ種類の少なくとも一つと前記パラメータ種類に対応するパラメータ設定値の両方を同時に表示するパラメータ表示装置１と、パラメータ設定値を上下する数値モディファイスイッチ２と、パラメータ表示装置の変更可能な桁の位置を表示するカーソルと、カーソルを一定方向に移動するカーソル桁移動スイッチ３と、パラメータ種類とパラメータ設定値を記憶するパラメータ記憶部４と、カーソルがパラメータ設定値の最大桁位置にある状態でカーソル桁移動スイッチ３が押されるとカーソルを最小桁位置に移動させ、もしくは、カーソルがパラメータ設定値の最小桁位置にある状態でカーソル桁移動スイッチ３が押されるとカーソルを最大桁位置に移動させ、該カーソルの移動と同時に、予め設定されている順番通りにパラメータ種類を更新してパラメータ表示装置１に表示する桁移動・表示更新手段５を備えるようにしている点である。
【００１２】
以下、図１を用いて本実施例のパラメータ設定装置のパラメータ表示装置１、数値モディファイスイッチ２およびカーソル桁移動スイッチ３について説明する。
パラメータ表示装置１は５桁の７セグメントＬＥＤによるパネルとする。
数値モディファイスイッチ２は“ △ ”(以降、ＵＰボタンと称す)、および“▽ ”(以降、ＤＯＷＮボタンと称す)を表記した押しボタンである。
また、カーソル桁移動スイッチ３は、“ ＞ ”(以降、ＲＩＧＨＴボタンと称す)、および“ ＜ ”(以降、ＬＥＦＴボタンと称す)を表記した押しボタンとなっている。
【００１３】
図２は、第１実施例および第２実施例を示す桁移動・表示更新手段の動作説明図である。
また、図３、４は、第１実施例を示す桁移動・表示更新手段５の動作説明図である。
以下、図２、３、４を用いて本実施例のパラメータ設定装置における桁移動・表示更新手段５の動作について説明する。
図２、３、４において、各セグメントの下にある“＿”はカーソルを表している。また、セグメントの桁数の低い順から桁番号を“０”、“１”、“２”、“３”、“４”、とする。４桁目はパラメータ種類を、０桁目から２桁目まではパラメータ設定値を表している。また、数値モディファイスイッチ２とカーソル桁移動スイッチ３は押しボタンである。
ここで、この実施例ではパラメータ種類が３つで、それぞれ“Ａ”“ｂ”“Ｃ”とする。パラメータ表示装置２に“Ａ  １００”と表示されている場合、Ａというパラメータに１００という値が設定されていることを表している。その動作は、ＬＥＦＴボタンを押下するとカーソルが左方向に一つ移動し、ＲＩＧＨＴボタンを押下するとカーソルが右方向にひとつ移動する。また、各パラメータ設定値の変更したい桁にカーソルを合わせたのち、ＵＰボタンを押すとパラメータ設定値の数値が一つ上がり、ＤＯＷＮボタンを押すとパラメータ設定値の数値が一つ下がる。変更したパラメータ設定値は逐次パラメータ設定値記憶装置４に記憶される。
図２に示すように、現在、パラメータ種類“Ａ”とその設定値が表示されていて、カーソルが０桁目にあるとする。ＬＥＦＴボタンを２回押下することにより、図３に示すようにカーソルがパラメータ設定値の最大桁に移動する。パラメータ設定値がｎ桁の場合は、ｎ−１回桁移動スイッチを押すとカーソルが最大桁に移動する。さらにＬＥＦＴボタンを押下すると、図４に示すようにカーソルが最小桁に移動すると共に、パラメータ種類“ｂ”とその設定値を表示する。
同様に、さらにＬＥＦＴボタンを３回押下するとパラメータ種類“Ｃ”とその設定値を表示し 、さらにＬＥＦＴボタンを３回押すとパラメータ種類“Ａ”とその設定値の表示に戻るというように、予め設定されている順番通りに表示する。
このように、カーソル桁移動スイッチ４を押すことにより、“Ａ”→“ｂ”→“Ｃ”→“Ａ”・・・と予め設定されている順番通りにパラメータ種類とその設定値を表示させることができる。また、ＬＥＦＴボタンではなくＲＩＧＨＴボタンを押したときは、“Ａ”→“Ｃ” →“ｂ”→“Ａ”・・・など、予め設定されている順番と逆方向にパラメータ種類とその設定値を表示させることができる。
【００１４】
このように装置を構成することにより、カーソル移動スイッチ３にパラメータ種類選択機能を付加することができるため、パラメータ種類を変更するボタンを新たに設けることなくパラメータ種類を変更することができる。
なお、ＬＥＦＴボタンとＲＩＧＨＴボタンは必ずしも両方必要ではなく、いずれか一方のボタンのみの構成でも良い。
【実施例２】
【００１５】
本実施例が第１実施例と相違する点は、第１実施例の桁移動・表示更新手段５に替えて、カーソルがパラメータ設定値の最大桁位置または最小桁位置にある状態で、カーソル桁移動スイッチ３が押されるとカーソルをパラメータ種類表示桁に移動させ、カーソルがパラメータ種類表示桁にある状態で数値モディファイスイッチ２またはカーソル桁移動スイッチ３が押されると、予め設定された順番通りにパラメータ種類を更新してパラメータ表示装置１に表示する桁移動・表示更新手段６を備えるようにしている点である。
【００１６】
図５、６は、第２実施例を示す桁移動・表示更新手段６の動作説明図である
以下、図２、５、６を用いて第２実施例における桁移動・表示更新手段６の動作について説明する。
現在、前述の 図２に示すように“Ａ  １００”が表示されていて、カーソルが0桁目にあるとする。ＬＥＦＴボタンを押下するカーソルがひとつずつ左に移動していく。この動作を繰り返すと、図５に示すようにカーソルが４桁目のパラメータ種類表示部にくる。そのさい、ＵＰボタンを押下すると、 図６に示すように“ｂ”のパラメータ種類とその設定値を表示する。この場合、カーソル位置は変更しない。同様に、さらにＵＰボタン押下すると、“Ｃ” 、さらにＵＰボタンを押すと“Ａ”に戻る。このように、ＵＰボタンを押すことにより、“Ａ”→“ｂ”→“Ｃ”→“Ａ”・・・と予め決めた順番通りにパラメータ種類とその設定値を表示させることができる。また、ＵＰボタンではなくＤＯＷＮボタンを押したときは、“Ａ”→“Ｃ”→“ｂ”→“Ａ”・・・など、予め決めた順番と逆方向にパラメータ種類とその設定値を表示させることができる。また、ＵＰボタンやＤＯＷＮボタンの代わりにＬＥＦＴボタンを押すことで予め決めた順番にパラメータ種類とその設定値を表示させることができる。
【００１７】
このように装置を構成することにより、数値モディファイスイッチ２またはカーソル移動スイッチ３にパラメータ種類選択機能を付加することができるため、パラメータ種類を変更するボタンを新たに設けることなくパラメータ種類を変更することができる。
【産業上の利用可能性】
【００１８】
本発明は、インバータやサーボなどで用いられるパラメータ設定装置に広く適用が可能である。
【図面の簡単な説明】
【００１９】
【図１】第１実施例および第２実施例を示すパラメータ設定装置の構成図
【図２】第１実施例および第２実施例を示す桁移動・表示更新手段の動作説明図
【図３】第１実施例を示す桁移動・表示更新手段５の動作説明図
【図４】第１実施例を示す桁移動・表示更新手段５の動作説明図
【図５】第２実施例を示す桁移動・表示更新手段６の動作説明図
【図６】第２実施例を示す桁移動・表示更新手段６の動作説明図
【図７】従来技術例１を示すパラメータ設定装置の説明図
【図８】従来技術例２を示すパラメータ設定装置の説明図
【符号の説明】
【００２０】
１  パラメータ表示装置
２  数値モディファイスイッチ
３  カーソル桁移動スイッチ
４  パラメータ記憶装置
５、６  桁移動・表示更新手段
１１  つまみ
１２  スイッチ
１３  表示器
２１  桁移動スイッチ
２２  数値モディファイ用入力手段
２３  数値表示手段
【図１】
2006314041.tif 000003
【図２】
2006314041.tif 000004
【図３】
2006314041.tif 000005
【図４】
2006314041.tif 000006
【図５】
2006314041.tif 000007
【図６】
2006314041.tif 000008
【図７】
2006314041.tif 000009
【図８】
2006314041.tif 000010